(57)【要約】【課題】端子ピンが機器内部へ抜け落ちないようにした携帯型電子機器を提供する。【解決手段】ＤＣジャック９の中空部内には、後端側が導線１９と接続され、先端側がＤＣコネクタ１４の挿入方向に延びた端子ピン１７が設けられている。ＤＣジャック９が取り付けられた回路基板１６には、端子ピン１７の後端側に対峙するように、頑丈な＋端子２４と−端子２５とにより絶縁性の外装を有するトランス２６が固着されている。また、ＤＣジャック９の背面とトランス２６との間の距離は、端子ピン１７の長さよりも短くされている。【選択図】        図２
2004171848.tif 000002
【特許請求の範囲】
【請求項１】
外部機器からのコネクタを受け入れるソケットが設けられ、前記ソケットの中空部内には、後端側が回路基板に形成された回路パターンと電気的に接続され、先端側が前記コネクタの挿入方向に延びて、前記コネクタのピン挿通穴に入り込む端子ピンが設けられた携帯型電子機器において、
前記回路基板に、前記端子ピンの後端側に対峙するように絶縁性の外装を有する電子部品を固着し、端子ピンが後退方向に押し込まれたときに前記電子部品でその移動を制限するようにしたことを特徴とする携帯型電子機器。
【請求項２】
前記ソケットが給電用のＤＣジャックであり、前記電子部品がトランスであることを特徴とする請求項１記載の携帯型電子機器。
【発明の詳細な説明】
【０００１】
【発明の属する技術分野】
本発明は、外部機器からのコネクタを受け入れるソケットに端子ピンが設けられた携帯型電子機器に関するものである。
【０００２】
【従来の技術】
携帯型電子機器には、機器の電池収納部に装填された電池による電源供給手段とともに、ＡＣアダプタを用いる外部電源からの電源供給手段を備えているものがある。ＡＣアダプタには、ＡＣ電源を入力するＡＣコネクタとＤＣ電源を出力するＤＣコネクタとが連結されている。一方、携帯型電子機器には、ＤＣコネクタを受け入れるＤＣジャックが設けられており、このＤＣジャックには、ＤＣコネクタのピン挿通穴に入り込む端子ピンが設けられている。ＤＣジャックにＤＣコネクタを差し込み、ＡＣコネクタを家庭用電源等の外部電源の出力部であるＡＣコンセントに差し込むことにより、電子機器に電源が供給されることとなる。
【０００３】
ＡＣアダプタは様々な電子機器に用いられていることから、ＤＣコネクタのサイズも様々である。このため、ＤＣコネクタに対し着脱自在な各種サイズの変換コネクタを幾つか用意しておき、変換コネクタのサイズをＤＣジャックに対応させているものがある（例えば、特許文献１参照）。
【０００４】
しかしながら、ＤＣジャックのサイズに対応していないＤＣコネクタを用いてしまう可能性は少なからずあり、例えばＤＣ出力電源が５ＶであるＡＣアダプタのＤＣコネクタに対応しているＤＣジャックに、ＤＣ出力電源が３ＶであるＡＣアダプタのＤＣコネクタを誤って差し込んでしまった場合、通常ＤＣジャックに設けられ端子ピンのピン径は５Ｖ用よりも３Ｖ用の方が小さいので、端子ピンがＤＣコネクタに押圧され、機器内部に抜けてしまうことが起こり得た。
【０００５】
【特許文献１】
特開平０９−２１３４１７号公報
【０００６】
【発明が解決しようとする課題】
このように、端子ピンが外圧により押し込まれると、機器内部へ抜けてしまう可能性がある。この抜けた端子ピンが回路をショートするなどして機器を一時的に動作不能とするだけでなく、回路を損傷するなどして機器を使用不能としてしまうことなどが懸念される。
【０００７】
そこで、本発明は、端子ピンが機器内部へ抜け落ちないようにした携帯型電子機器を提供することを目的とする。
【０００８】
【課題を解決するための手段】
上記目的を達成するために、本発明は、回路基板に、端子ピンの後端側に対峙するように絶縁性の外装を有する電子部品を固着し、端子ピンが後退方向に押し込まれたときに前記電子部品でその移動を制限するようにしている。
【０００９】
【発明の実施の形態】
図１は、本発明を実施したデジタルカメラと、ＡＣアダプタとを示している。
カメラボディ２の前面には、ストロボ発光部３、レンズ鏡筒４に組み込まれた撮影レンズ５が設けられている。撮影レンズ５の背後には、ＣＣＤイメージセンサが組み込まれており、撮影レンズ５を通して得られた被写体の光学画像を光電変換して撮像信号を出力する。
【００１０】
ＣＣＤイメージセンサからの撮像信号は逐次にＡ／Ｄ変換，各種の信号処理により画像データに変換され、カメラボディ２の背面に設けられた液晶モニタでスルー画像として被写体画像を観察することができる。液晶モニタは電源を消耗しやすいので、液晶モニタを使用しなくてもフレーミングを行うことができるように光学ファインダも組み込まれファインダ対物窓６、ファインダ接眼窓がそれぞれカメラボディ前面、背面に設けられている。フレーミングの後にレリーズボタン７を押圧操作すると、ＣＣＤイメージセンサから得られる１画面分の撮像信号が画像データに変換された後、内蔵メモリあるいは着脱式のメモリカードに保存される。
【００１１】
カメラボディ２の底面には底蓋８があり、底蓋８内部にはデジタルカメラの電源となる電池が挿入される電池収納部が設けられている。また、外部電源からの電源供給手段として、左側面には、給電用のＤＣコネクタ１４を受け入れるＤＣジャック９が設けられている。
【００１２】
ＡＣアダプタ１１には、ＡＣコネクタ１２が連結され、このＡＣコネクタ１２を外部電源の出力部であるＡＣコンセントに差し込むと、ＡＣ電力は、ＡＣアダプタ１１内でＤＣ電力に変換され、ＤＣケーブル１３を介してＤＣコネクタ１４に出力される。このＤＣコネクタ１４と接続したＤＣジャック９を介してデジタルカメラにＤＣ電力が供給される。
【００１３】
図２は、本発明を実施したデジタルカメラのＤＣジャック周辺部と、ＡＣアダプタのＤＣコネクタとを示している。ＤＣジャック９は、回路基板１６に取り付けられるとともに、カメラボディ２に組み込まれている。ＤＣジャック９の中空部内には、後端側が導線１９と接続され、先端側がＤＣコネクタ１４の挿入方向に延びた端子ピン１７が設けられており、ＤＣジャック９の内壁の下部には、導線２０と接続された端子片１８ａが設けられている。これら端子ピン１７、端子片１８ａと接続された導線１９、２０は、回路基板１６の裏面で半田付けされ、回路基板１６に形成された回路パターンと接続されている。また、ＤＣジャック９の内壁の上部には、端子片１８ｂが保持されており、端子片１８ａと同様に、回路パターンと接続されている。
【００１４】
ＤＣコネクタ１４には、端子ピン１７が入り込み、電気的に接続されるピン挿通穴２２と、端子片１８ａ、１８ｂと電気的に接続される筒形端子２３とが設けられている。ＤＣジャック９にＤＣコネクタ１４を差し込むと、端子ピン１７がピン挿通穴２２に入り込むとともに、端子片１８ａ、１８ｂが筒形端子２３に押圧され弾性変形し、筒形端子２３と常時接触することにより、ＡＣアダプタ１１とデジタルカメラとが電気的に接続されることとなる。
【００１５】
ＤＣジャック９が取り付けられた回路基板１６には、端子ピン１７の後端側に対峙するように、頑丈な＋端子２４と−端子２５とにより絶縁性の外装を有するトランス２６が固着されている。また、ＤＣジャック９の背面とトランス２６との間の距離は、端子ピン１７の長さよりも短くされている。このことにより、端子ピン１７が後退方向（図中、矢印方向）に押し込まれ、トランス２６の奥壁を突き破りカメラ内部へ移動したとしても、トランス２６に支えられカメラ内部へ抜け落ちることはない。
【００１６】
本実施形態では、端子ピン１７の後端側に対峙し、絶縁性の外装を有する電子部品をトランス２６としたが、ブザー等の手差し部品やヒューズ等でも良い。また、本実施形態では、デジタルカメラを用いたが、本発明は、外部機器からのコネクタを受け入れるソケットに端子ピンが設けられた携帯型パーソナルコンピュータ、ハンディーターミナル等の携帯型電子機器についても適用可能である。
【００１７】
【発明の効果】
以上説明したように、本発明は、端子ピンが機器内部へ抜け落ちることを非常に簡単な方法で防止しているので、製造コストを高くすることなく、安全性、信頼性の高い携帯型電子機器を提供することができる。
【図面の簡単な説明】
【図１】本発明を実施したデジタルカメラの前面側の外観斜視図と、ＡＣアダプタの外観斜視図とを示している。
【図２】ＤＣジャック周辺部の断面図と、ＤＣコネクタの外観図とを示している。
【符号の説明】
２  カメラボディ
９  ＤＣジャック
１４  ＤＣコネクタ
１６  回路基板
１７  端子ピン
２６  トランス
【図１】
2004171848.tif 000003
【図２】
2004171848.tif 000004